(57)【特許請求の範囲】
【請求項１】
歯の周面に装着される環状本体と、この環状本体の外周面に配されていると共に歯に装着されるマウスピースに係合するための少なくとも一の突起部とを具備しているマウスピース脱落防止バンド。
【請求項２】
環状本体は、少なくとも一の臼歯に装着されるようになっている請求項１に記載のマウスピース脱落防止バンド。
【請求項３】
環状本体は、ステンレス製であって、歯の周面の形状に合致するように変形可能な薄板からなる請求項１又は２に記載のマウスピース脱落防止バンド。
【請求項４】
突起部は、頬側又は舌側に配されるようになっている請求項１から３のいずれか一項に記載のマウスピース脱落防止バンド。
【請求項５】
少なくとも一の突起部は頬側に配され、且つ、少なくとも他の一の突起部は舌側に配されるようになっている請求項１から４のいずれか一項に記載のマウスピース脱落防止バンド。
【請求項６】
突起部は、歯の周面の遠心側の部位に配されるようになっている請求項１から５のいずれか一項に記載のマウスピース脱落防止バンド。
【請求項７】
突起部は、その突出量が２ｍｍ以下である請求項１から６のいずれか一項に記載のマウスピース脱落防止バンド。
【請求項８】
突起部は、環状本体と一体的に形成されている請求項１から７のいずれか一項に記載のマウスピース脱落防止バンド。
【請求項９】
突起部は、その形状が略半球状、方形状、円柱状又は截頭円錐状である請求項１から８のいずれか一項に記載のマウスピース脱落防止バンド。
【請求項１０】
請求項１から９のいずれか一項に記載のマウスピース脱落防止バンドの突起部に係合するための窪み部を具備している歯に装着されるマウスピース。
【請求項１１】
歯科矯正用マウスピースであって、請求項１０に記載のマウスピース。
【請求項１２】
請求項１から９のいずれか一項に記載のマウスピース脱落防止バンドと、請求項１０又は１１に記載のマウスピースとを具備している歯科矯正具。
【発明の詳細な説明】
【０００１】
【発明の属する技術分野】
本発明は、歯に装着されるマウスピースの脱落を防止するマウスピース脱落防止バンド及びこれと共に用いられるマウスピース並びにこれらを具備している歯科矯正具に関する。
【０００２】
【発明が解決しようとする課題】
歯に装着されるマウスピースは、歯科矯正用やスポーツ用等としてしばしば用いられる。斯かるマウスピースの例としては、内周面が歯の形状に基づいて形成されたマウスピースが挙げられる。
【０００３】
しかしながら、上記マウスピースは、歯に直接装着されるため、歯から脱落する虞がある。従って、当該マウスピースを使用する者は、マウスピースが脱落しないように常に注意しなければならない。更に、例えば、マウスピースが歯から脱落した場合、殊にマウスピースを咬んでしまい、当該マウスピースの破損を招く虞がある。
【０００４】
本発明は、前記諸点に鑑みてなされたものであり、その目的とするところは、マウスピースの脱落を防止することができるマウスピース脱落防止バンド及びマウスピース並びにこれらを具備している歯科矯正具を提供することにある。
【０００５】
【課題を解決するための手段】
本発明の第一の態様のマウスピース脱落防止バンドは、歯の周面に装着される環状本体と、この環状本体の外周面に配されていると共に歯に装着されるマウスピースに係合するための少なくとも一の突起部とを具備している。
【０００６】
本発明の第一の態様のマウスピース脱落防止バンドによれば、歯の周面に装着される環状本体と、この環状本体の外周面に配されていると共に歯に装着されるマウスピースに係合するための少なくとも一の突起部とを具備しているため、マウスピースの脱落を防止することができる。
【０００７】
本発明の第二の態様のマウスピース脱落防止バンドは、本発明の第一の態様のマウスピース脱落防止バンドにおいて、環状本体は、少なくとも一の臼歯に装着されるようになっている。
【０００８】
本発明の第二の態様のマウスピース脱落防止バンドによれば、環状本体は、少なくとも一の臼歯に装着されるようになっているため、切歯等と比較してマウスピースが脱落し易い臼歯からのマウスピースの脱落を防止することができ、また、マウスピースの切歯等を覆っている部分を掴んで当該マウスピースを歯から取り外すことを容易に行い得る。
【０００９】
本発明の第三の態様のマウスピース脱落防止バンドは、本発明の第一又は第二のマウスピース脱落防止バンドにおいて、環状本体は、ステンレス製であって、歯の周面の形状に合致するように変形可能な薄板からなる。
【００１０】
本発明の第三の態様のマウスピース脱落防止バンドによれば、環状本体は、ステンレス製であって、歯の周面の形状に合致するように変形可能な薄板からなるため、マウスピース脱落防止バンド自体を歯に確実に固定することができる。
【００１１】
本発明の第四の態様のマウスピース脱落防止バンドは、本発明の第一から第三のいずれか一の態様のマウスピース脱落防止バンドにおいて、突起部は、頬側又は舌側に配されるようになっている。
【００１２】
本発明の第四の態様のマウスピース脱落防止バンドによれば、突起部は、頬側又は舌側に配されるようになっているため、マウスピース脱落防止バンド及びマウスピースの互いの係合状態を好適に維持することができ、例えば、上下歯が互いに咬み合う際に、マウスピースがマウスピース脱落防止バンドから脱落することをなくし得る。
【００１３】
本発明の第五の態様のマウスピース脱落防止バンドは、本発明の第一から第四のいずれか一の態様のマウスピース脱落防止バンドにおいて、少なくとも一の突起部は頬側に配され、且つ、少なくとも他の一の突起部は舌側に配されるようになっている。
【００１４】
本発明の第五の態様のマウスピース脱落防止バンドによれば、少なくとも一の突起部は頬側に配され、且つ、少なくとも他の一の突起部は舌側に配されるようになっているため、マウスピースの脱落をより確実に防止し得、また、例えば、下顎を上顎に対して横方向に移動させた場合にあっても、マウスピース及びマウスピース脱落防止バンドの互いの係合状態を好適に維持することができる。
【００１５】
本発明の第六の態様のマウスピース脱落防止バンドは、本発明の第一から第五のいずれか一の態様のマウスピース脱落防止バンドにおいて、突起部は、歯の周面の遠心側の部位に配されるようになっている。
【００１６】
本発明の第六の態様のマウスピース脱落防止バンドによれば、突起部は、歯の周面の遠心側の部位に配されるようになっているため、口内壁や舌等に干渉しないように、突起部をより大きく突出させることができ、而して、マウスピース脱落防止バンド及びマウスピースの互いの係合状態をより確実に維持することができる。
【００１７】
本発明の第七の態様のマウスピース脱落防止バンドは、本発明の第一から第六の態様のマウスピース脱落防止バンドにおいて、突起部は、その突出量が２ｍｍ以下である。
【００１８】
本発明の第七の態様のマウスピース脱落防止バンドによれば、突起部は、その突出量が２ｍｍ以下であるため、当該突起部によって口内壁等を傷つけることをなくし得る。尚、本発明のマウスピース脱落防止バンドは、突起部の突出量が２ｍｍ以下であることに限定されず、要は、口内壁や舌等に干渉しない程度の突出量であって、加えて、マウスピース脱落防止バンド及びマウスピースの互いの良好な係合状態を確保できる程度の突出量であればよく、例えば、突出量が３ｍｍから０．５ｍｍ程度であってもよく、好ましくは、突出量が２ｍｍから１ｍｍ程度でもよく、より好ましくは、２ｍｍから１．５ｍｍ程度でもよい。
【００１９】
本発明の第八の態様のマウスピース脱落防止バンドは、本発明の第一から第七の態様のマウスピース脱落防止バンドにおいて、突起部は、環状本体と一体的に形成されている。
【００２０】
本発明の第九の態様のマウスピース脱落防止バンドは、本発明の第一から第八の態様のマウスピース脱落防止バンドにおいて、突起部は、その形状が略半球状、方形状、円柱状又は截頭円錐状である。突起部が方形状、円柱状又は截頭円錐状である場合には、その頂面を滑らかな曲面とするのが、安全性の面で好ましい。
【００２１】
本発明の第一の態様の歯に装着されるマウスピースは、本発明の第一から第九のいずれか一のマウスピース脱落防止バンドの突起部に係合するための窪み部を具備している。
【００２２】
本発明の第一の態様のマウスピースによれば、上述のマウスピース脱落防止バンドの突起部に係合するための窪み部を具備しているため、本発明の第一から第七のいずれか一のマウスピース脱落防止バンドとの係合状態を強固に維持することができ、而して、マウスピースの脱落を確実に防止することができる。
【００２３】
本発明の第二の態様のマウスピースは、本発明の第一の態様のマウスピースにおいて、歯科矯正用マウスピースである。
【００２４】
本発明の歯科矯正具は、本発明の第一から第九のいずれか一の態様のマウスピース脱落防止バンドと、本発明の第一又は第二の態様のマウスピースとを具備している。
【００２５】
なお、上述のマウスピース脱落防止バンド及びマウスピースの夫々は、歯科矯正用、スポーツ用等として用いることが可能であるが、歯科矯正用として用いるのが好ましい。
【００２６】
本発明は、上歯及び下歯のどちらにも適用できる。
【００２７】
次に、本発明の実施の形態を、図に示す好ましい例に基づいて更に詳細に説明する。なお、本発明はこれら例に何等限定されないのである。
【００２８】
【発明の実施の形態】
図１及び図３において、本例の歯科矯正具１は、大臼歯Ｍ１及びＭ２に夫々装着される一対のマウスピース脱落防止バンド（以下、バンドと称する）３及び４と、バンド３及び４を覆うと共に歯２に装着されるマウスピース５とを具備している。
【００２９】
バンド３及び４は、夫々同様に形成されているので、以下、バンド３について詳細に説明し、バンド４については、必要に応じて図面に符号ａを付してその詳細な説明を省略する。
【００３０】
バンド３は、大臼歯Ｍ１の周面１０に装着される継ぎ目なしの環状本体１１と、環状本体１１の外周面１２に配されていると共にマウスピース５に係合するための一対の突起部１３及び１４とを具備している。突起部１３は、頬側１５に配されており、突起部１４は、舌側１６に配されている。
【００３１】
環状本体１１は、金属製、本例ではステンレス製であって、周面１０の形状に合致し、且つ、大臼歯Ｍ１を緊締するように変形可能な薄板からなる。環状本体１１は、本例ではその肉厚が０．０５ｍｍから０．５ｍｍ程度となっている。なお、環状本体は、好ましくはその肉厚が０．１ｍｍから０．５ｍｍ程度である。
【００３２】
環状本体１１は、多少の伸縮が可能なステンレス製であるが、体に影響を与えないその他の金属製であってもよい。
【００３３】
突起部１３及び１４は、夫々同様に形成されているので、以下、突起部１３について詳細に説明し、突起部１４については、必要に応じて図面に符号ａを付してその詳細な説明を省略する。
【００３４】
突起部１３は、略半球状であり、環状本体１１に一体的に形成されている。突起部１３は、本例では、環状本体１１の一部を内周面２０から押圧して突出させることによって形成されるようになっており、当該突出量は、外周面１２から突出先端２５までの長さが１．５ｍｍから２ｍｍ程度となっている。
【００３５】
マウスピース５は、本体３０と、突起部１３及び１４の夫々に係合するための一対の窪み部３１及び３２と、突起部１３ａ及び１４ａの夫々に係合するための一対の窪み部３３及び３４とを具備している。マウスピース５は、透光性の合成樹脂製、本例ではセルロースアセトブチレート製であり、歯科矯正に用いられるようになっている。
【００３６】
本体３０は、内面３５及び外面３６の形状が、バンド３及び４を装着した歯２から予め型取りされた歯形に基づいて形成されるようになっている。本体３０は、矯正すべき歯２が適正な位置に移動するように、矯正すべき歯２に対応する内面３５の部位を当該歯２の適正位置側に位置ずれさせて、形成されるようになっている。尚、本体３０は、本例では、その肉厚が０．８ｍｍから２ｍｍ程度となるように形成されている。
【００３７】
窪み部３１、３２、３３及び３４は夫々同様に形成されているので、以下窪み部３１について詳細に説明し、窪み部３２、３３及び３４については、必要に応じて図面に符号ａを付してその詳細な説明を省略する。
【００３８】
窪み部３１は、突起部１３の形状に対応した形状となっており、突起部１３に嵌合するようになっている。
【００３９】
マウスピース５は、歯２並びにバンド３及び４を覆うようにして、歯２に装着されると共に窪み部３１、３２、３３及び３４の夫々が突起部１３、１４、１３ａ及び１４ａの夫々に係止されるようになっている。
【００４０】
バンド３は、突起部１３及び１４の少なくとも一方に代えて、大臼歯Ｍ１の周面１０の遠心側の部位４０に配されている突起部を具備していてもよい。
【００４１】
尚、歯科矯正具１は、マウスピース５に代えて、歯列の一部に装着されるように形成されたマウスピースを具備していてもよい。
【００４２】
本例の歯科矯正具１は、大臼歯Ｍ１及びＭ２の夫々に装着されるバンド３及び４を具備しているが、これらに代えて又はこれらに加えて、切歯、犬歯、小臼歯及び大臼歯のいずれか一の歯に装着されるバンドを具備していてもよく、また、互いに隣り合う歯に装着されるバンドを具備していてもよい。
【００４３】
【発明の効果】
本発明によれば、マウスピースの脱落を防止することができるマウスピース脱落防止バンド及びマウスピース並びにこれらを具備している歯科矯正具を提供し得る。
【図面の簡単な説明】
【図１】本発明の実施の形態の好ましい例の説明図である。
【図２】図１に示す例のマウスピース脱落防止バンドの斜視説明図である。
【図３】図１に示す例のＩＩＩ−ＩＩＩ線断面説明図である。
【符号の説明】
１  歯科矯正具
２  歯
３、４  マウスピース脱落防止バンド
５  マウスピース
Ｍ１、Ｍ２  大臼歯
【図１】
0003767515.tif 000002
【図２】
0003767515.tif 000003
【図３】
0003767515.tif 000004